(57)【要約】【課題】Ｘ線照射軸の回転角度に応じて変化する被検体の体厚に応じてＸ線照射条件を変更することができるＸ線診断装置およびＸ線診断方法を提供する。【解決手段】本発明の一実施形態に係るＸ線診断装置１０は、Ｘ線照射軸の回転角度に応じた被検体ＰのＸ線透過長の情報にもとづいて、前記回転角度に応じたＸ線照射条件を設定する照射条件設定部と、前記回転角度に応じたＸ線照射条件で造影剤の注入前および注入後にＸ線撮影を行う撮像実行部と、前記造影剤の注入前および注入後のＸ線撮影により得られた投影データにもとづいて回転ＤＳＡ画像を生成する画像生成部と、を備える。【選択図】  図１
2014209965.tif 000002
【特許請求の範囲】
【請求項１】
Ｘ線照射軸の回転角度に応じた被検体のＸ線透過長の情報にもとづいて、前記回転角度に応じたＸ線照射条件を設定する照射条件設定部と、
前記回転角度に応じたＸ線照射条件で造影剤の注入前および注入後にＸ線撮影を行う撮像実行部と、
前記造影剤の注入前および注入後のＸ線撮影により得られた投影データにもとづいて回転ＤＳＡ画像を生成する画像生成部と、
を備えたＸ線診断装置。
【請求項２】
前記撮像実行部により前記回転角度のうちの所定の角度で実行される予備撮像により得られた予備投影データにもとづいて、前記回転角度に応じた前記被検体のＸ線透過長の情報を生成する体厚情報生成部、
をさらに備えた請求項１記載のＸ線診断装置。
【請求項３】
前記体厚情報生成部は、
前記予備投影データにもとづいて前記予備撮像のＸ線照射軸に沿った前記被検体のＸ線透過長を求めるとともに前記予備撮像の撮像平面に平行かつ前記予備撮像の前記Ｘ線照射軸に垂直な軸に沿ったＸ線透過長を求め、これら求めたＸ線透過長を用いて前記回転角度に応じた前記被検体のＸ線透過長の情報を生成する、
請求項２記載のＸ線診断装置。
【請求項４】
前記体厚情報生成部は、
前記求めたＸ線透過長および撮影対象部位の形状モデルを用いて前記回転角度に応じた前記被検体のＸ線透過長の情報を生成する、
請求項３記載のＸ線診断装置。
【請求項５】
前記体厚情報生成部は、
前記被検体の形状に関する付帯情報にもとづいて前記撮影対象部位の前記形状モデルを決定する、
請求項４記載のＸ線診断装置。
【請求項６】
前記照射条件設定部は、
前記予備投影データにもとづいて前記所定の角度におけるＸ線照射条件を設定し、この設定した前記所定の角度におけるＸ線照射条件と、前記所定の角度における前記被検体のＸ線透過長と、前記回転角度に応じた前記被検体のＸ線透過長の情報とにもとづいて前記回転角度に応じたＸ線照射条件を設定する、
請求項２ないし５のいずれか１項に記載のＸ線診断装置。
【請求項７】
前記照射条件設定部は、
前記所定の角度におけるＸ線照射条件のうち管電圧を固定しつつ、前記所定の角度におけるＸ線照射条件と、前記所定の角度における前記被検体のＸ線透過長と、前記回転角度に応じた前記被検体のＸ線透過長の情報とにもとづいて前記回転角度に応じたＸ線照射条件を設定する、
請求項６記載のＸ線診断装置。
【請求項８】
Ｘ線照射軸の回転角度に応じた被検体のＸ線透過長の情報にもとづいて前記回転角度に応じたＸ線照射条件を設定するステップと、
前記回転角度に応じたＸ線照射条件で造影剤の注入前および注入後にＸ線撮影を行うステップと、
前記造影剤の注入前および注入後のＸ線撮影により得られた投影データにもとづいて回転ＤＳＡ画像を生成するステップと、
を有するＸ線診断方法。
【発明の詳細な説明】
【技術分野】
【０００１】
本発明の実施形態は、Ｘ線診断装置およびＸ線診断方法に関する。
【背景技術】
【０００２】
Ｘ線診断装置には、回転ＤＳＡ（Digital Subtraction Angiography）撮影可能なものがある。回転ＤＳＡ撮影では、被検体の同一部位について造影剤の注入前の画像データ（マスク像データ）および造影剤の注入後の画像データ（コントラスト像データ）がそれぞれ生成される。回転ＤＳＡ撮影可能なＸ線診断装置は、回転ＤＳＡ撮影で得られたコントラスト像データおよびマスク像にもとづいて、容易に３次元の血管画像を表示することができる。
【０００３】
一般に、回転ＤＳＡ撮影においては、まず、所定のＸ線照射位置で予備透視または予備撮影（以下、予備撮像と総称する）が行われる。次に、この予備撮像によって得られた予備投影データにもとづいて、Ｘ線管球に印加される管電流や管電圧などのＸ線照射条件の最適な設定値が求められる。そして、Ｘ線照射条件をこの最適な設定値に固定して、Ｘ線撮像系を被検体の周囲で回転させながらＸ線撮影が行われる。
【先行技術文献】
【特許文献】
【０００４】
【特許文献１】特開２０１１−１６１０９１号公報
【発明の概要】
【発明が解決しようとする課題】
【０００５】
しかし、被検体の形状がＸ線撮像系の回転中心に対して等方的でない場合、被検体の周囲で回転させながらＸ線撮影を行うと、Ｘ線の被検体内の透過距離（Ｘ線透過長）は回転角度（撮影角度）に応じて変化する。たとえば撮像対象部位のアキシャル断面が楕円である被検体の場合、被検体の体軸周りにＸ線撮像系を回転させると、被検体のＸ線透過長（体厚）は、Ｘ線照射軸が楕円の単軸方向に沿うときに最小となり、Ｘ線の照射軸が楕円の長軸方向に沿うときに最大となる。
【０００６】
このため、被検体の形状がＸ線撮像系の回転中心に対して等方的でない場合、Ｘ線照射条件が固定されていると、体厚が薄い角度では線量過多となり、被検体に過剰な被ばくを強いることになる場合がある。また、体厚が厚い角度では線量不足となり、画質の低下を招いてしまう場合がある。
【課題を解決するための手段】
【０００７】
本発明の一実施形態に係るＸ線診断装置は、上述した課題を解決するために、Ｘ線照射軸の回転角度に応じた被検体のＸ線透過長の情報にもとづいて、前記回転角度に応じたＸ線照射条件を設定する照射条件設定部と、前記回転角度に応じたＸ線照射条件で造影剤の注入前および注入後にＸ線撮影を行う撮像実行部と、前記造影剤の注入前および注入後のＸ線撮影により得られた投影データにもとづいて回転ＤＳＡ画像を生成する画像生成部と、を備えたものである。
【図面の簡単な説明】
【０００８】
【図１】本発明に係るＸ線診断装置の一実施形態を示す概略的な全体構成図。
【図２】制御部のＣＰＵによる機能実現部の構成例を示す概略的なブロック図。
【図３】（ａ）は撮影対象部位が胸部である場合における、回転角度θ＝０での被検体のＸ線透過長ｄ（０）の一例を示す説明図であり、（ｂ）は回転角度θ＝θでの被検体のＸ線透過長ｄ（θ）の一例を示す説明図。
【図４】（ａ）は撮影対象部位が頭部である場合における、回転角度θ＝０での被検体のＸ線透過長ｄ（０）の一例を示す説明図であり、（ｂ）は回転角度θ＝θでの被検体のＸ線透過長ｄ（θ）の一例を示す説明図。
【図５】撮影対象部位が心臓である場合における、回転角度θの変化に応じて被検体の体厚（Ｘ線透過長）ｄ（θ）が変化する様子の一例を示す説明図。
【図６】図１に示す制御部のＣＰＵにより、回転角度θに応じて変化する被検体の体厚ｄ（θ）に応じてＸ線照射条件を変更して回転ＤＳＡ撮影を行う際の手順を示すフローチャート。
【図７】図６のステップＳ２で実行される体厚情報の自動取得処理の手順の一例を示すフローチャート。
【発明を実施するための形態】
【０００９】
本発明に係るＸ線診断装置およびＸ線診断方法の実施の形態について、添付図面を参照して説明する。
【００１０】
図１は、本発明に係るＸ線診断装置１０の一実施形態を示す概略的な全体構成図である。
【００１１】
Ｘ線診断装置１０は、回転ＤＳＡ撮影可能に構成され、図１に示すように、Ｘ線撮像部１１と画像処理装置１２とを有する。Ｘ線診断装置１０のＸ線撮像部１１は、通常は検査室に設置され、被検体Ｐに関するＸ線投影データを生成するよう構成される。画像処理装置１２は、検査室に隣接する操作室に設置され、投影データにもとづいて回転ＤＳＡ画像などのＸ線診断画像を生成して表示を行なうよう構成される。なお、画像処理装置１２は、Ｘ線撮像部１１が設置される検査室に設置されてもよい。
【００１２】
Ｘ線撮像部１１は、Ｘ線検出部２１、Ｘ線管球２２およびＸ線管球２２用の絞り２３を有するＸ線照射部２４、Ｃアーム２５、高電圧装置２７、絞り駆動部２８、アーム駆動部２９、インジェクタ３０、寝台駆動部３１およびコントローラ３２を有する。
【００１３】
Ｘ線検出部２１は、寝台２６の天板３３に支持された被検体Ｐを挟んでＸ線管球２２と対向配置されるようＣアーム２５の一端に設けられる。Ｘ線検出部２１は、イメージインテンシファイアなどを備え、Ｘ線検出部２１に照射されたＸ線を検出し、この検出したＸ線にもとづき、Ｘ線の投影データを出力する。この投影データはコントローラ３２を介して画像処理装置１２に与えられる。なお、Ｘ線検出部２１は、平面検出器（ＦＰＤ：ｆｌａｔ  ｐａｎｅｌ  ｄｅｔｅｃｔｏｒ）を含むものであってもよい。
【００１４】
Ｘ線照射部２４は、Ｃアーム２５の他端に設けられ、Ｘ線管球２２および絞り２３を有する。
【００１５】
Ｘ線管球２２は、高電圧装置２７により電圧を印加されてＸ線を発生する。Ｘ線管球２２が発生するＸ線は、被検体Ｐに向かって照射される。
【００１６】
絞り２３は、たとえば複数枚の鉛羽で構成されるＸ線照射野絞りである。絞り２３は、絞り駆動部２８を介してコントローラ３２により制御されて、Ｘ線管球２２から照射されるＸ線の照射範囲を調整する。
【００１７】
Ｃアーム２５は、Ｘ線照射部２４とＸ線検出部２１とを一体として保持する。Ｃアーム２５がコントローラ３２に制御されて駆動されることにより、Ｘ線照射部２４およびＸ線検出部２１は一体として被検体Ｐの周りを移動する。なお、図１にはＣアーム２５がＸ線照射部２４を天板３３の上方に位置するよう支持するオーバーチューブタイプの場合の一例について示したが、Ｘ線照射部２４を天板３３の下方に位置するよう支持するアンダーチューブタイプであってもよい。
【００１８】
寝台２６は、床面に設置され、天板３３を支持する。寝台２６は、コントローラ３２により制御されて、天板３３を水平方向、上下方向に移動させたり回転（ローリング）させたりする。
【００１９】
高電圧装置２７は、コントローラ３２に制御されて、Ｘ線の照射に必要な電力をＸ線管球２２に供給する。
【００２０】
絞り駆動部２８は、コントローラ３２に制御されて、絞り２３の開口を調整することにより、撮影プロトコルに応じてＸ線管球２２から放射されるＸ線の照射範囲を調整する。
【００２１】
アーム駆動部２９および寝台駆動部３１は、コントローラ３２に制御されて、それぞれＣアーム２５および天板３３を駆動する。
【００２２】
インジェクタ３０は、コントローラ３２による制御によって、被検体Ｐの患部に挿入されたカテーテル（カテーテルチューブ、図示せず）を介して造影剤を注入する装置である。造影剤の注入および停止のタイミングならびに造影剤の濃度および注入速度はコントローラ３２により自動制御される。なお、インジェクタ３０はＸ線診断装置１０とは異なる外部の孤立した装置として用意されてもよく、この場合Ｘ線診断装置１０はインジェクタ３０を備えない。また、インジェクタ３０は、外部に用意されるか否かにかかわらず、コントローラ３２の制御によらずともよく、たとえばインジェクタ３０に備えられた入力部を介してユーザによる指示を受け付け、この指示に従って造影剤を注入してもよい。
【００２３】
コントローラ３２は、画像処理装置１２により制御されて、Ｘ線検出部２１、高電圧装置２７、絞り駆動部２８、アーム駆動部２９、インジェクタ３０および寝台駆動部３１を制御することにより、回転ＤＳＡ撮影を実行して造影剤投与前後の投影データをそれぞれ生成し、画像処理装置１２に与える。
【００２４】
一方、画像処理装置１２は、図１に示すように、入力部４１、表示部４２、記憶部４３および制御部４４を有する。
【００２５】
入力部４１は、たとえばキーボード、トラックボール、タッチパネル、テンキー、などの一般的な入力装置や、Ｘ線曝射タイミングを指示するためのハンドスイッチなどにより構成され、ユーザの操作に対応した操作入力信号を制御部４４に出力する。
【００２６】
表示部４２は、たとえば液晶ディスプレイやＯＬＥＤ（Organic Light Emitting Diode）ディスプレイなどの一般的な表示出力装置により構成され、制御部４４の制御に従って回転ＤＳＡ画像などの各種画像を表示する。
【００２７】
記憶部４３は、磁気的もしくは光学的記録媒体または半導体メモリなどの、制御部４４のＣＰＵにより読み書き可能な記録媒体を含んだ構成を有し、これら記憶媒体内のプログラムおよびデータの一部または全部は電子ネットワークを介してダウンロードされるように構成してもよい。記憶部４３は、制御部４４により制御されて、Ｘ線検出部２１により検出された投影データなどを記憶する。
【００２８】
制御部４４は、ＣＰＵ、ＲＡＭおよびＲＯＭをはじめとする記憶媒体などにより構成され、この記憶媒体に記憶されたＸ線照射制御プログラムに従ってＸ線撮像部１１のコントローラ３２を制御する。
【００２９】
図２は、制御部４４のＣＰＵによる機能実現部の構成例を示す概略的なブロック図である。なお、この機能実現部は、ＣＰＵを用いることなく回路などのハードウエアロジックによって構成してもよい。
【００３０】
図２に示すように、制御部４４のＣＰＵは、ＲＯＭをはじめとする記憶媒体に記憶されたＸ線照射制御プログラムによって、少なくともプロトコル取得部５１、体厚情報取得部５２、照射条件設定部５３、撮像実行部５４、画像生成部５５および体厚情報生成部５６として機能する。この各部５１−５６は、ＲＡＭの所要のワークエリアをデータの一時的な格納場所として利用する。
【００３１】
プロトコル取得部５１は、ユーザにより入力部４１を介して実行を指示された撮影プロトコルの情報を取得する。撮影プロトコルの情報には、ユーザにより入力部４１を介して設定された、またはあらかじめ記憶部４３に設定された、撮影部位の情報や撮影術式ごとの撮影手順の情報を含む。
【００３２】
たとえば、本実施形態に係る回転ＤＳＡ撮影の撮影プロトコルは、造影剤の注入前にＸ線撮影（マスク像撮影）を行った後、造影剤の注入を行い、造影剤の注入後に再度Ｘ線撮影（コントラスト像撮影）を行った後、マスク像撮影の投影データおよびコントラスト像撮影の投影データにもとづいて回転ＤＳＡ画像を生成するようＸ線診断装置１０に指示する内容である。
【００３３】
また、この回転ＤＳＡの撮影プロトコルには、マスク像撮影に先立って、回転角度のうちの所定の角度で予備撮像（予備透視または予備撮影）を行い、Ｘ線照射条件を自動設定するよう指示する内容が含まれていてもよい。予備撮像が予備透視であるか予備撮影であるかもまた、プロトコルに記述される。透視では、一般に、撮影に比べて弱いＸ線照射強度で画像を取得する。このため、透視画像は解像度が低い画像であるものの、被検体Ｐが被ばくする線量が小さい。一方、撮影画像は透視画像に比べ、被検体Ｐが被ばくする線量は多くなるものの、より鮮明な画像となる。
【００３４】
図３（ａ）は撮影対象部位が胸部である場合における、回転角度θ＝０での被検体ＰのＸ線透過長ｄ（０）の一例を示す説明図であり、（ｂ）は回転角度θ＝θでの被検体ＰのＸ線透過長ｄ（θ）の一例を示す説明図である。また、図４（ａ）は撮影対象部位が頭部である場合における、回転角度θ＝０での被検体ＰのＸ線透過長ｄ（０）の一例を示す説明図であり、（ｂ）は回転角度θ＝θでの被検体ＰのＸ線透過長ｄ（θ）の一例を示す説明図である。
【００３５】
なお、以下の説明では、天板３３の被検体Ｐの載置面に対してＸ線照射軸６１が垂直となるときを回転角度θ＝０とする場合の例について示す。
【００３６】
図３および図４から明らかなように、被検体Ｐの輪郭形状がＸ線撮像系の回転中心（アイソセンタ）に対して等方的でない場合、Ｘ線照射軸６１の回転角度θの変化に応じて被検体Ｐの体厚（Ｘ線透過長）ｄ（θ）も変化する。
【００３７】
この場合、回転撮影においてＸ線の照射条件が固定されていると、体厚が薄い角度では線量過多となり、被検体Ｐに過剰な被ばくを強いることになる場合がある（たとえば図３（ａ）参照）。一方、体厚が厚い角度では線量不足となり、画質の低下を招いてしまう場合がある（たとえば図３（ｂ）参照）。
【００３８】
そこで、本実施形態に係るＸ線診断装置１０は、Ｘ線照射軸６１の回転角度θに応じた被検体Ｐの体厚ｄ（θ）の情報（体厚情報）にもとづいて、回転角度θに応じたＸ線照射条件を設定する。Ｘ線照射条件には、少なくともＸ線管球２２に印加すべき管電流ｍＡ、管電圧ｋＶおよびパルス幅（管電流、管電圧の印加期間）ｍｓｅｃが含まれる。
【００３９】
なお、当然ながら、本実施形態に係る回転ＤＳＡ撮影では、マスク像撮影およびコントラスト像撮影において、同一の回転角度では同一のＸ線照射条件でＸ線が照射される。
【００４０】
図５は、撮影対象部位が心臓である場合における、回転角度θの変化に応じて被検体Ｐの体厚（Ｘ線透過長）ｄ（θ）が変化する様子の一例を示す説明図である。
【００４１】
図５に示すように、心臓のようにアイソセンタ６２が体軸とはずれた位置にある場合も、図３および図４に示す場合と同様に回転角度θの変化に応じて被検体Ｐの体厚（Ｘ線透過長）ｄ（θ）が変化する。したがって、アイソセンタ６２が体軸とはずれた位置にある場合も、図３および図４に示す場合と同様に、本実施形態に係るＸ線診断装置１０は、Ｘ線照射軸６１の回転角度θに応じた被検体Ｐの体厚ｄ（θ）の情報（体厚情報）にもとづいて、回転角度θに応じたＸ線照射条件を設定する。
【００４２】
体厚情報取得部５２は、体厚情報生成部５６または記憶部４３または入力部４１を介してユーザから、Ｘ線照射軸６１の回転角度θに応じた被検体Ｐの体厚ｄ（θ）の情報（体厚情報）を取得する。
【００４３】
なお、各撮影部位に係る体厚情報は、あらかじめ手動で取得されて回転角度θと体厚ｄ（θ）とを関連付けてたとえばテーブル形式で記憶部４３に記憶されていてもよい。また、予備撮像により得られる予備投影データにもとづいて体厚情報生成部５６により自動生成されてもよい。
【００４４】
照射条件設定部５３は、撮影部位に係る体厚情報にもとづいて、回転角度に応じたＸ線照射条件を設定する。また、照射条件設定部５３は、予備撮像により得られる予備投影データにもとづいて、予備撮像が行われた所定の角度（予備撮像角度、たとえばθ＝０）における最適なＸ線照射条件を求めておくとよい。予備撮像角度における最適なＸ線照射条件が得られている場合、照射条件設定部５３は、この照射条件と、予備撮像角度における体厚と、回転角度θに応じた被検体Ｐの体厚ｄ（θ）の情報（体厚情報）とにもとづいて、回転角度に応じたＸ線照射条件を設定する。
【００４５】
また、照射条件設定部５３は、回転角度に応じたＸ線照射条件を設定するにあたり、管電圧ｋＶを固定し、管電流ｍＡおよびパルス幅ｍｓｅｃの少なくとも一方を異ならせてもよい。管電圧ｋＶが変化すると、撮影時のＸ線強度が変化するため、画質もまた変化しやすくなる。このため、管電圧ｋＶを固定しておくことにより、より簡便にきれいな画像を得ることができる。
【００４６】
撮像実行部５４は、コントローラ３２を介してＸ線撮像部１１を制御することにより、回転角度に応じたＸ線照射条件で造影剤の注入前および注入後にＸ線撮影を行う。
【００４７】
画像生成部５５は、造影剤の注入前および注入後のＸ線撮影により得られた投影データにもとづいて回転ＤＳＡ画像を生成し、表示部４２に表示させる。
【００４８】
体厚情報生成部５６は、撮影部位についての予備撮像により得られる予備投影データにもとづいて、撮影部位に係る体厚情報を自動生成する。
【００４９】
次に、本実施形態に係るＸ線診断装置１０の動作の一例について説明する。
【００５０】
図６は、図１に示す制御部４４のＣＰＵにより、回転角度θに応じて変化する被検体Ｐの体厚ｄ（θ）に応じてＸ線照射条件を変更して回転ＤＳＡ撮影を行う際の手順を示すフローチャートである。図６において、Ｓに数字を付した符号は、フローチャートの各ステップを示す。
【００５１】
まず、ステップＳ１において、プロトコル取得部５１は、ユーザにより入力部４１を介して実行を指示された撮影プロトコルの情報を取得する。
【００５２】
次に、ステップＳ２において、体厚情報取得部５２は、体厚情報生成部５６または記憶部４３または入力部４１を介してユーザから、Ｘ線照射軸６１の回転角度θに応じた被検体Ｐの撮影部位に係る体厚ｄ（θ）の情報（体厚情報）を取得する。
【００５３】
次に、ステップＳ３において、照射条件設定部５３は、撮影部位に係る体厚情報にもとづいて、回転角度に応じたＸ線照射条件を設定する。
【００５４】
次に、ステップＳ４において、撮像実行部５４は、コントローラ３２を介してＸ線撮像部１１を制御することにより、回転角度に応じたＸ線照射条件に従ってマスク像撮影を行い、得られた投影データを記憶部４３に記憶させる。
【００５５】
次に、ステップＳ５において、撮像実行部５４は、インジェクタ３０に対して被検体Ｐへの造影剤の注入を開始させる。
【００５６】
次に、ステップＳ６において、撮像実行部５４は、コントローラ３２を介してＸ線撮像部１１を制御することにより、マスク像撮像と同一のＸ線照射条件に従ってコントラスト像撮影を行い、得られた投影データを記憶部４３に記憶させる。
【００５７】
次に、ステップＳ７において、撮像実行部５４は、インジェクタ３０に対して被検体Ｐへの造影剤の注入を停止させる。
【００５８】
次に、ステップＳ８において、画像生成部５５は、造影剤の注入前および注入後のＸ線撮影により得られた投影データにもとづいて回転ＤＳＡ画像を生成し、表示部４２に表示させる。
【００５９】
以上の手順により、回転角度θに応じて変化する被検体Ｐの体厚ｄ（θ）に応じてＸ線照射条件を変更して回転ＤＳＡ撮影を行うことができる。
【００６０】
図７は、図６のステップＳ２で実行される体厚情報の自動取得処理の手順の一例を示すフローチャートである。
【００６１】
この手順は、体厚情報を自動取得する旨および予備撮像を行う旨の内容が記述された撮影プロトコルがプロトコル取得部５１により図６のステップＳ１で取得されてスタートとなる。
【００６２】
ステップＳ２１において、撮像実行部５４は、撮影プロトコルに従って予備撮像を実行すべく、コントローラ３２を介してＸ線撮像部１１を制御することにより、予備撮像位置へＣアーム２５を移動させる。
【００６３】
次に、ステップＳ２２において、撮像実行部５４は、予備撮像を実行し、得られた予備投影データを記憶部４３に記憶させる。
【００６４】
次に、ステップＳ２３において、体厚情報生成部５６は、予備投影データにもとづいて体厚情報（回転角度θに応じた被検体Ｐの撮影部位に係る体厚ｄ（θ）の情報）を生成して体厚情報取得部５２に与え、図６のステップＳ３に戻る。
【００６５】
ここで、予備投影データにもとづいて体厚情報を生成する方法について、簡単に説明する。
【００６６】
たとえば投影データに含まれるＸ線の透過強度から、予備撮像のＸ線照射軸６１に沿った被検体Ｐの体長ｄ１（図３に示す例では縦幅）を求めることができる。また、予備撮像角度がθ＝０である場合、予備投影データに対応する予備撮像画像から、予備撮像の撮像平面（天板３３と平行な平面）に平行かつ予備撮像のＸ線照射軸６１に垂直な軸に沿った体長ｄ２（図３に示す例では横幅）を画像処理により求めることができる。したがって、体厚情報生成部５６は、撮影部位の形状をたとえば楕円と仮定することで、ｄ１およびｄ２にもとづいて体厚情報を生成することができる。
【００６７】
また、記憶部４３は、胸部、腹部頭部などの撮影対象部位ごとに形状モデルを関連付けた情報を記憶してもよい。また、身長、体重、体脂肪率、性別、年齢などの被検体Ｐの形状に関する付帯情報にもとづいて、撮影対象部位の形状モデルを調整してもよい。
【００６８】
たとえば、記憶部４３に対して形状モデルに対応する式が記憶されてもよく、この場合、この式にｄ１およびｄ２と回転角度を代入することで体厚情報を生成する。また、この場合、この式に被検体Ｐの形状に関する付帯情報による補正項が含まれてもよい。
【００６９】
図７に示す手順により、撮影部位についての予備撮像により得られる予備投影データにもとづいて、撮影部位に係る体厚情報を自動生成することができる。
【００７０】
本実施形態に係るＸ線診断装置１０は、Ｘ線照射軸６１の回転角度θに応じた被検体Ｐの撮影部位に係る体厚ｄ（θ）の情報（体厚情報）を取得し、この体厚情報にもとづいて回転角度に応じたＸ線照射条件を設定することができる。このため、回転撮影の際にどの回転角度においても容易に被検体Ｐの体厚に応じた最適な線量を照射することができる。したがって、本実施形態に係るＸ線診断装置１０によれば、不要な被ばくを被検体Ｐに強いることなく、容易に画質を向上させることができる。
【００７１】
なお、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００７２】
また、本発明の実施形態では、フローチャートの各ステップは、記載された順序に沿って時系列的に行われる処理の例を示したが、必ずしも時系列的に処理されなくとも、並列的あるいは個別実行される処理をも含むものである。
【符号の説明】
【００７３】
１０  Ｘ線診断装置
５３  照射条件設定部
５４  撮像実行部
５５  画像生成部
５６  体厚情報生成部
６１  Ｘ線照射軸
６２  アイソセンタ
ｄ（θ）  Ｘ線透過長（体厚）
【図１】
2014209965.tif 000003
【図２】
2014209965.tif 000004
【図３】
2014209965.tif 000005
【図４】
2014209965.tif 000006
【図５】
2014209965.tif 000007
【図６】
2014209965.tif 000008
【図７】
2014209965.tif 000009